(57)【特許請求の範囲】
【請求項１】
動物の所定領域への侵入を防止するために設置される動物侵入防止柵であり、
挿通部と、動物接触部と、案内部と、を具備し、
前記挿通部は、前記動物の一部が挿通可能な開口を有し、
前記動物接触部は、その下端側が前記挿通部に連結され、且つ、その一部が前記挿通部の上方側に配置され、
前記案内部は、前記動物接触部を上下方向に沿って移動可能に案内することを特徴とする動物侵入防止柵。
【請求項２】
設置部を、更に具備し、
前記設置部は、前記動物侵入防止柵が設置された際に、前記動物侵入防止柵が設置される接地面に接触するように構成されることを特徴とする請求項１に記載の動物侵入防止柵。
【請求項３】
前記挿通部は、前記動物接触部に対して回転可能に連結されることを特徴とする請求項１または請求項２に記載の動物侵入防止柵。
【請求項４】
複数の前記挿通部が、個別に、前記動物接触部に対して回転可能に連結されることを特徴とする請求項１に記載の動物侵入防止柵。
【請求項５】
前記動物接触部は、前記所定領域から離れる側に向かって上方に傾斜することを特徴とする請求項１から請求項４の何れかに記載の動物侵入防止柵。
【請求項６】
下垂部を、更に具備し、
前記下垂部は、前記動物接触部に対して回転可能に接続され、且つ、前記動物接触部が上昇した際に、その先端側が下方に向かって回転することを特徴とする請求項１から請求項５の何れかに記載の動物侵入防止柵。
【請求項７】
錘部を、更に具備し、
前記錘部は、前記動物接触部または前記設置部に取り付けられることを特徴とする請求項１から請求項６の何れかに記載の動物侵入防止柵。
【請求項８】
筒状連結部を、更に具備し、
前記筒状連結部は、前記動物接触部に固定され、その内部を前記案内部が挿通することを特徴とする請求項１から請求項７の何れかに記載の動物侵入防止柵。
【発明の詳細な説明】
【技術分野】
【０００１】  本発明は、動物が圃場等に侵入すること防止する動物侵入防止柵に関する。
【背景技術】
【０００２】  近年、猪や鹿などの野生動物による農業被害は深刻化している。このような被害の対策の一環として、野生動物の圃場への侵入を阻止するべく、圃場を柵で囲むことが行われている。【０００３】  このような柵として、例えば、以下の特許文献に記載された発明がある。【０００４】  特許文献１では、猪の侵入を防止するための方向誘導装置が記載されている。具体的には、方向誘導装置は、地面から所定高さだけ上方の位置に水平方向に多列的に設置された複数枚のネットと、ネットを支持する複数個の保持部材と、保持部材を保持する複数本のロープと、ロープを支持する複数本の支柱を備える。よって、猪が法尻部に侵入するために方向誘導装置に足を踏み入れると、ネットに足が絡まり、主蹄および副蹄などの蹄の間にネットが挟まって不快感を生じるので、猪は法尻部への侵入を諦める。【０００５】  特許文献２では、金網を採用した柵が記載されている。具体的には、ここでの柵は、複数の支柱ユニットと、隣り合う支柱ユニットの上部間に掛け渡した胴縁竿と、複数の列線を巻き掛けて形成した菱形金網とを具備する。また、菱形金網の最上辺の巻線の厚さを他の巻線の厚さより大きく形成し、菱形金網の最上辺の網目に挿通した胴縁竿の両端部を、隣り合う一対の支柱ユニットの間に横架し、支柱本体の上部に形成した余長部の頭部と胴縁竿の中間部との間にブレースを張設する。このようにすることで、菱形金網の撓み変形を確実に防止でき、組立作業と解体作業を少人数で簡単に行える簡易防獣柵を提供できる。【０００６】  特許文献３でも、金網を採用した防獣用フェンスが記載されている。具体的には、防獣用フェンスは、間隔を隔てて設置面に立設した複数の支柱と、隣り合う支柱の上部間に横架した吊下竿と、吊下竿に垂下させて展張した金網と、を具備している。また、金網は、その全高が支柱の立設高さより大きく、金網はその下端を設置面に沿って折り曲げて金網の前方に向けて敷設した帯状の敷設部を有する。係る構成により、施工コストが安い防獣用フェンスが提供される。
【先行技術文献】
【特許文献】
【０００７】
【特許文献１】特開２０１６−１７１７７２号公報
【特許文献２】実用新案登録第３２０３４６８号公報
【特許文献３】実用新案登録第３１９７６３５号公報
【発明の概要】
【発明が解決しようとする課題】
【０００８】  しかしながら、上記した各引用文献に記載された柵では、動物の侵入を確実に防止する効果等の観点から、改善の余地があった。【０００９】  具体的には、引用文献１では、基本的にはロープにより猪の脚を絡ませるのみであるため、猪の侵入を防止する効果が必ずしも十分でない課題があった。【００１０】  特許文献２では、柵を構成する菱形金網は、地面に対して固定されている。よって、この菱形金網を猪などの動物が押し上げると、地面と菱形金網との間に大きな間隙が形成され、当該間隙を経由して動物が侵入してしまう課題がある。【００１１】  特許文献３では、ピンにより金網が比較的強固に地面に対して固定されているものの、係る場合であっても猪などの鼻により金網が持ち上げられてしまう課題を排除することは簡単では無い。【００１２】  本発明は、このような問題点を鑑みてなされたものであり、本発明の目的は、動物の侵入を防止する効果等が向上された動物侵入防止柵を提供することにある。
【課題を解決するための手段】
【００１３】  本発明の動物侵入防止柵は、動物の所定領域への侵入を防止するために設置される動物侵入防止柵であり、挿通部と、動物接触部と、案内部と、を具備し、前記挿通部は、前記動物の一部が挿通可能な開口を有し、前記動物接触部は、その下端側が前記挿通部に連結され、且つ、その一部が前記挿通部の上方側に配置され、前記案内部は、前記動物接触部を上下方向に沿って移動可能に案内することを特徴とする。【００１４】  また、本発明の動物侵入防止柵では、設置部を、更に具備し、前記設置部は、前記動物侵入防止柵が設置された際に、前記動物侵入防止柵が設置される接地面に接触するように構成されることを特徴とする。【００１５】  また、本発明の動物侵入防止柵では、前記挿通部は、前記動物接触部に対して回転可能に連結されることを特徴とする。【００１６】  また、本発明の動物侵入防止柵では、複数の前記挿通部が、個別に、前記動物接触部に対して回転可能に連結されることを特徴とする。【００１７】  また、本発明の動物侵入防止柵では、前記動物接触部は、前記所定領域から離れる側に向かって上方に傾斜することを特徴とする。【００１８】  また、本発明の動物侵入防止柵では、下垂部を、更に具備し、前記下垂部は、前記動物接触部に対して回転可能に接続され、且つ、前記動物接触部が上昇した際に、その先端側が下方に向かって回転することを特徴とする。【００１９】  また、本発明の動物侵入防止柵では、錘部を、更に具備し、前記錘部は、前記動物接触部または前記設置部に取り付けられることを特徴とする。【００２０】  また、本発明の動物侵入防止柵では、筒状連結部を、更に具備し、前記筒状連結部は、前記動物接触部に固定され、その内部を前記案内部が挿通することを特徴とする。
【発明の効果】
【００２１】  本発明の動物侵入防止柵は、動物の所定領域への侵入を防止するために設置される動物侵入防止柵であり、挿通部と、動物接触部と、案内部と、を具備し、前記挿通部は、前記動物の一部が挿通可能な開口を有し、前記動物接触部は、その下端側が前記挿通部に連結され、且つ、その一部が前記挿通部の上方側に配置され、前記案内部は、前記動物接触部を上下方向に沿って移動可能に案内することを特徴とする。よって、本発明に係る動物侵入防止柵によれば、動物の侵入を効果的に防止できる。具体的には、先ず、所定領域への侵入を試みる動物は、挿通部に、例えば脚を挿通する。次に、動物が動物接触部を持ち上げようとすると、動物接触部と連結されている挿通部も、例えば動物の脚の付け根部分まで連鎖的に持ち上がる。このようにすることで、動物の一部、例えば前足の自由運動が制限され、動物の所定領域への侵入が防止される。【００２２】  また、本発明の動物侵入防止柵では、設置部を、更に具備し、前記設置部は、前記動物侵入防止柵が設置された際に、前記動物侵入防止柵が設置される接地面に接触するように構成されることを特徴とする。よって、本発明に係る動物侵入防止柵によれば、設置部を具備していることで、安定して設置箇所に設置することができる。【００２３】  また、本発明の動物侵入防止柵では、前記挿通部は、前記動物接触部に対して回転可能に連結されることを特徴とする。よって、本発明に係る動物侵入防止柵によれば、動物が動物接触部を持ち上げようとすると、挿通部が回転することで、挿通部と接地面との間に形成される間隙が大きくならず、当該間隙から小動物が所定領域に侵入することを防止できる。【００２４】  また、本発明の動物侵入防止柵では、複数の前記挿通部が、個別に、前記動物接触部に対して回転可能に連結されることを特徴とする。よって、本発明に係る動物侵入防止柵によれば、接地面の凹凸形状に即して、個々の挿通部が任意の角度で回転でき、接地面と挿通部との間隙を小さくし、当該間隙から動物が侵入することを防止できる。【００２５】  また、本発明の動物侵入防止柵では、前記動物接触部は、前記所定領域から離れる側に向かって上方に傾斜することを特徴とする。よって、本発明に係る動物侵入防止柵によれば、動物接触部が傾斜していることで、断面形状が三角形を呈するようになり、動物侵入防止柵の機械強度を向上できる。【００２６】  また、本発明の動物侵入防止柵では、下垂部を、更に具備し、前記下垂部は、前記動物接触部に対して回転可能に接続され、且つ、前記動物接触部が上昇した際に、その先端側が下方に向かって回転することを特徴とする。よって、本発明に係る動物侵入防止柵によれば、動物接触部が上昇した際に、下垂部の先端側が下方に向かって回転することで、動物接触部と接地面との間隙を下垂部が塞ぎ、間隙を経由して動物が所定領域に侵入することを防止できる。【００２７】  また、本発明の動物侵入防止柵では、錘部を、更に具備し、前記錘部は、前記動物接触部または前記設置部に取り付けられることを特徴とする。よって、本発明に係る動物侵入防止柵によれば、動物が動物接触部および挿通部を持ち上げた後に、動物接触部および挿通部の落下運動を促進し、挿���部と接地面との間に間隙が形成されることを抑制できる。【００２８】  また、本発明の動物侵入防止柵では、筒状連結部を、更に具備し、前記筒状連結部は、前記動物接触部に固定され、その内部を前記案内部が挿通することを特徴とする。よって、本発明に係る動物侵入防止柵によれば、動物接触部および設置部の昇降動作がスムーズになる。
【図面の簡単な説明】
【００２９】
【図１】本発明の実施形態に係る動物侵入防止柵を示す上面概念図である。
【図２】本発明の実施形態に係る動物侵入防止柵の構成を示す斜視図である。
【図３Ａ】本発明の実施形態に係る動物侵入防止柵を示す図であり、動物が動物侵入防止柵に接近する状態を示す側面図である。
【図３Ｂ】本発明の実施形態に係る動物侵入防止柵を示す図であり、動物が動物侵入防止柵を持ち上げる状態を示す側面図である。
【図４Ａ】本発明の他の形態に係る動物侵入防止柵の構成を示す斜視図である。
【図４Ｂ】本発明の他の形態に係る動物侵入防止柵が、持ち上げられている際の構成を示す斜視図である。
【図５Ａ】本発明の他の形態に係る動物侵入防止柵を示す図であり、動物が動物侵入防止柵に接近する状態を示す側面図である。
【図５Ｂ】本発明の他の形態に係る動物侵入防止柵を示す図であり、動物が動物侵入防止柵を持ち上げる状態を示す側面図である。
【図６Ａ】本発明の更なる他の形態に係る動物侵入防止柵の構成を示す斜視図である。
【図６Ｂ】本発明の更なる他の形態に係る動物侵入防止柵が、持ち上げられている際の構成を示す斜視図である。
【図７Ａ】本発明の更なる他の形態に係る動物侵入防止柵の構成を示す斜視図である。
【図７Ｂ】本発明の更なる他の形態に係る動物侵入防止柵が、持ち上げられている際の構成を示す側面図である。
【図８Ａ】本発明の更なる他の形態に係る動物侵入防止柵を示す図であり、動物が動物侵入防止柵に接近する状態を示す側面図である。
【図８Ｂ】本発明の更なる他の形態に係る動物侵入防止柵を示す図であり、動物が動物侵入防止柵を持ち上げる状態を示す側面図である。
【図９】本発明の更なる他の形態に係る動物侵入防止柵の構成を示す斜視図である。
【発明を実施するための形態】
【００３０】  以下、本発明の実施形態を図面に基づき詳細に説明する。以下の説明では、同一の部材には原則的に同一の符号を付し、繰り返しの説明は省略する。また、以下の説明に於いて、内側とは圃場１０に向かう方向であり、外側とは圃場１０から離れる方向である。また、左右方向とは、動物侵入防止柵１１が並ぶ方向である。
【００３１】  図１は、動物侵入防止柵１１を示す上面概念図である。
【００３２】  圃場１０は、例えば、イモ、ジャガイモ、タマネギなどの根菜類を栽培する畑である。
【００３３】  動物侵入防止柵１１は、所定領域である圃場１０に動物１９が侵入すること防止するために、圃場１０の全周を囲むように設置される。このようにすることで、後述するように、猪などの動物１９が、圃場１０に侵入することを防止し、圃場１０で栽培された根菜類等を食い荒らすことを防止できる。
【００３４】  図２は、動物侵入防止柵１１の構成を示す斜視図である。複数個並列された動物侵入防止柵１１により、図１に示した圃場１０を囲んでいる。
【００３５】  動物侵入防止柵１１は、挿通部１２と、動物接触部１３と、案内部１４と、を主要に具備する。
【００３６】  挿通部１２は、動物１９の一部が挿通可能な開口１５を有する部材である。挿通部１２は、数ｍｍ程度の太さを有する棒状鋼材をメッシュ状に交差および結合させた部材である。メッシュの大きさは、後述する動物１９の脚２０が通過できる程度であり、例えば、一辺の長さが１３ｃｍないし１７ｃｍの略正方形とされている。ここでは、挿通部１２のメッシュが、後述する動物１９の脚２０が挿通される開口１５である。
【００３７】  設置部１６は、動物侵入防止柵１１が設置された際に、動物侵入防止柵１１が設置される接地面１７に接触するように構成される。ここでは接地面１７を図示していない。図２に示す動物侵入防止柵１１では、挿通部１２が設置部１６を兼ねている。
【００３８】  動物接触部１３は、その下端側が挿通部１２の内端側に連結され、且つ、その一部が挿通部１２の上方側に配置されるように構成されている。動物接触部１３は、挿通部１２と同様に、数ｍｍ程度の太さを有する線状鋼材をメッシュ状に交差および結合させた部材である。ここでは、動物接触部１３は、外側に向かって上方に傾斜している。動物接触部１３をこのような傾斜構造にすることで、後述するように、動物１９の持ち上げ動作を、動物接触部１３で受け止めることができる。また、動物接触部１３と挿通部１２とは、曲折部が鋭角となる略Ｌ字状に曲折された一つのメッシュ状部材から構成することもできる。
【００３９】  案内部１４は、動物接触部１３および挿通部１２を、上下方向のみに沿って移動可能に案内するように構成されている。案内部１４は、左右方向において、動物侵入防止柵１１の両端部に配置されている。案内部１４としては、棒状の部材を採用することができ、例えば鉄筋を採用できる。案内部１４の下端部は、例えば、地中に対して略垂直に埋め込まれている。ここでは、地中に埋め込まれる部分の案内部１４を破線で示している。
【００４０】  動物接触連結部１９１は、動物侵入防止柵１１の左右方向両端部において、動物接触部１３の上端部と案内部１４とを、上下方向のみに沿って移動可能に連結する部位である。動物接触連結部１９１は、例えば、金属または合成樹脂から成る略リング状の部材である。
【００４１】  設置連結部１９２は、設置部１６としての挿通部１２の左右両側辺中間部と案内部１４とを、上下方向のみに沿って移動可能に連結する部位である。設置連結部１９２の構成は動物接触連結部１９１と同様である。
【００４２】  図３Ａは、動物１９が動物侵入防止柵１１に接近する状態を示す側面図である。ここでは、動物１９として、猪を例示している。先ず、圃場１０への侵入を試みる動物１９は、動物侵入防止柵１１に接近する。その際、動物１９の前足である脚２０は、挿通部１２を踏みつけている。
【００４３】  図３Ｂは、動物１９が動物侵入防止柵１１を持ち上げる状態を示す側面図である。動物１９は、その鼻や頭部を用いて、動物侵入防止柵１１を持ち上げることを試みる。その際、動物１９は、傾斜している動物接触部１３を、上方に向かって持ち上げる。前述したように、動物接触部１３および挿通部１２は、案内部１４により上下方向に移動可能とされている。よって、動物接触部１３および挿通部１２は、動物１９の動作により、上方に向かって持ち上げられる。
【００４４】  その際、挿通部１２の開口１５に、動物１９の脚２０が挿通されている。よって、動物１９が動物接触部１３を上方に持ち上げると、開口１５に脚２０が挿通された状態のまま、挿通部１２も上昇する。従って、脚２０の自由な動きが阻害されるので、動物１９は、係る状態を本能的に忌諱する。また、挿通部１２が動物１９の胴体の下部に接触するようになり、動物１９は係る状態も本能的に忌諱する。このようにすることで、動物１９は、侵入のために動物侵入防止柵１１を持ち上げる動作を停止し、圃場１０への侵入を諦めるようになる。動物１９が動物侵入防止柵１１を持ち上げる動作を止めたら、重力の作用により、動物接触部１３および挿通部１２は接地面１７の上面に落下し、元の状態になる。よって、動物１９が圃場１０への侵入を試みた後であっても、動物侵入防止柵１１と接地面１７との間に、動物１９の侵入が可能となる間隙が形成されることを防止できる。
【００４５】  図４Ａは、本発明の他の形態に係る動物侵入防止柵１１の構成を示す斜視図である。この図に示す動物侵入防止柵１１の構成は、図２に示したものと基本的には同様であり、挿通部１２および設置部１６の構成が異なる。
【００４６】  ここでは、設置部１６は、左右方向における動物接触部１３の両端部の下端に接続し、外側に向かって直線状に伸びている。設置部１６としては、鋼棒等の棒状部材や板状部材を採用することができる。設置部１６の途中部分には設置連結部１９２が配設され、設置連結部１９２を挿通する案内部１４により、設置部１６は、上下方向のみに沿って移動可能に支持されている。
【００４７】  挿通部１２は、設置部１６とは別部材である。挿通部１２は前述したようにメッシュ状の部材からなり、その内側端部の側辺は、動物接触部１３の下側辺と、回転支持部２１を介して回転可能に連結されている。回転支持部２１は、例えば、ワイヤ等から成る結束部材である。回転支持部２１は、挿通部１２の内側辺に沿って、略等間隔に複数が形成される。
【００４８】  図４Ｂは、動物侵入防止柵１１が、持ち上げられている際の構成を示す斜視図である。係る状態になると、挿通部１２は、内側辺のみが動物接触部１３の下側辺に回転可能に連結されているので、その内側端部のみが上昇する傾斜状態となり、その外側端部は図示しない接地面１７に接触している。
【００４９】  図５Ａは、本発明の他の形態に係る動物侵入防止柵１１を示す図であり、動物１９が動物侵入防止柵１１に接近する状態を示す側面図である。
【００５０】  先ず、圃場１０への侵入を試みる動物１９は、動物侵入防止柵１１に接近し、動物１９の脚２０は、挿通部１２を踏みつけている。また、挿通部１２は、地面である接地面１７の上面に配置されている。
【００５１】  図５Ｂは、動物１９が動物侵入防止柵１１を持ち上げる状態を示す側面図である。
【００５２】  動物１９は、その鼻や頭部を用いて、動物侵入防止柵１１を持ち上げる。その際、動物１９は、傾斜している動物接触部１３を、上方に向かって持ち上げる。前述したように、動物接触部１３および設置部１６は、案内部１４により上下方向に移動可能とされている。よって、動物接触部１３および設置部１６は、動物１９により上方に向かって持ち上げられる。一方、挿通部１２は、内側辺のみが動物接触部１３の下側辺に回転可能に連結されているので、その内側端部のみが上昇し、その外側端部は図示しない接地面１７に接触している。即ち、挿通部１２は、外側に向かって下方に傾斜する傾斜状態となる。
【００５３】  その際、挿通部１２の開口１５に、動物１９の脚２０が挿通されている。よって、動物１９が動物接触部１３を上方に持ち上げると、開口１５に脚２０が挿通された状態のまま、挿通部１２も上昇する。従って、脚２０の自由な動きが阻害されるので、動物１９は、係る状態を本能的に忌諱する。このようにすることで、動物１９は、侵入のために動物侵入防止柵１１を持ち上げる動作を停止し、圃場１０への侵入を諦めるようになる。動物１９が動物侵入防止柵１１を持ち上げる動作を止めたら、重力の作用により、動物接触部１３は接地面１７の上面に落下する。更に、挿通部１２も、逆方向に回転し、元の状態になる。
【００５４】  図６Ａは、更なる他の形態に係る動物侵入防止柵１１を示す斜視図である。この図に示す動物侵入防止柵１１の構成は、図４に示したものと基本的には同様であり、挿通部１２の形状が異なる。
【００５５】  ここでは、挿通部１２は、短冊状を呈する複数の分割挿通部１２１から構成されている。分割挿通部１２１の内側端部は、回転支持部２１を介して動物接触部１３の下端部に回転可能に連結されている。左右方向において、分割挿通部１２１どうしは、離間して配置されても良いし、密着するように配置されても良い。
【００５６】  図６Ｂは、このような構成の動物侵入防止柵１１が、持ち上げられている際の構成を示す斜視図である。
【００５７】  動物接触部１３が持ち上げられると、動物接触部１３および設置部１６は、案内部１４に案内されて略垂直に上昇する。一方、分割挿通部１２１は、内側端部を回転中心として回転し、外側部分が下方に向かって傾斜する傾斜状態となる。実際は、全ての分割挿通部１２１が傾斜状態となるが、ここでは、左端に配置された分割挿通部１２１のみを傾斜配置している。このようにすることで、動物侵入防止柵１１が設置される地面の凹凸形状に追従させて、個々の分割挿通部１２１を、異なる回転角で回転させることができる。よって、動物侵入防止柵１１が設置される接地面１７の凹凸形状が大きくても、動物接触部１３が持ち上げられた際に、動物１９が侵入することを防止することができる。
【００５８】  図７Ａは、更なる他の形態に係る動物侵入防止柵１１の構成を示す斜視図である。この図に示す動物侵入防止柵１１の構成は、図１に示したものと基本的には同様であり、下垂部１８を有している点が異なる。
【００５９】  下垂部１８は、挿通部１２の下方に配置された部材であり、メッシュ状や板状の部材を採用することができる。下垂部１８の内側面は、複数の回転支持部２２を介して、動物接触部１３の下側辺に回転可能に連結されている。下垂部１８は、動物１９が動物接触部１３を持ち上げていない際は、挿通部１２と接地面１７との間で略水平に配置される。一方、動物１９が動物接触部１３を持ち上げている際は、下垂部１８は回転支持部２２を回転中心として回転し、外側に向かって下方に傾斜している。
【００６０】  図７Ｂは、係る構成の動物侵入防止柵１１が、持ち上げられている際の構成を示す側面図である。ここでは、動物１９の持ち上げにより、動物接触部１３および挿通部１２は、案内部１４に案内されて上昇している。一方、下垂部１８は、回転支持部２２を回転中心として回転することで傾斜しており、その外側端部は接地面１７に接触している。このようにすることで、動物接触部１３および挿通部１２が上昇した場合でも、挿通部１２の下方に形成される間隙を下垂部１８が塞ぎ、当該間隙を経由して小型の動物１９が圃場１０に侵入することを防止できる。
【００６１】  図８Ａは、更なる他の形態に係る動物侵入防止柵１１の構成を示す側面図である。ここに示す動物侵入防止柵１１の構成は原則的には図３Ａに示したものと同様であり、筒状連結部１９３を有している点が異なる。
【００６２】  筒状連結部１９３は、上下方向に沿う中心軸を有する略筒状の部材であり、例えば、塩化ビニール等の合成樹脂から成る円筒状のパイプを採用することができる。筒状連結部１９３の上端側は動物接触部１３の上端側に連結され、筒状連結部１９３の下端側は設置部１６に連結されている。また、案内部１４の中間部は、筒状連結部１９３を挿通している。
【００６３】  図８Ｂを参照して、動物１９が動物接触部１３を上方に持ち上げると、動物接触部１３および設置部１６は、筒状連結部１９３に挿通された案内部１４により案内されながら、上昇する。例えば鉄筋である案内部１４は、筒状連結部１９３の内面を良好に滑る。よって、筒状連結部１９３を採用することで、動物接触部１３および設置部１６の上昇動作がスムーズになる。同様に、動物接触部１３および設置部１６の下降動作もスムーズになる。
【００６４】  係る筒状連結部１９３を採用する構成は、図４Ａ、図６Ａ、図７Ａ等に示した動物侵入防止柵１１に対しても適用することができる。
【００６５】  図９は、更なる他の形態に係る動物侵入防止柵１１の構成を示す斜視図である。ここに示す動物侵入防止柵１１の構成は原則的には図２に示したものと同様であり、錘部２３を有している点が異なる。
【００６６】  具体的には、錘部２３は、金属等の比重が大きい材料から成る長尺部材であり、動物侵入防止柵１１の左端から右端に至るまで配設されている。錘部２３としては、例えば束ねられた複数本の鉄筋を採用することができる。錘部２３は、設置部１６の内側端部、または、動物接触部１３の下方端部に固定される。錘部２３を採用することで、動物１９が動物接触部１３および挿通部１２を持ち上げた後に、動物接触部１３および挿通部１２の落下運動を促進し、挿通部１２と接地面１７との間に間隙が形成されることを抑制できる。
【００６７】  係る錘部２３を採用する構成は、図４Ａ、図６Ａ、図７Ａ等に示した動物侵入防止柵１１に対しても適用することができる。
【００６８】  前述した本実施形態により、以下のような主要な効果を奏することができる。
【００６９】  即ち、動物１９の侵入を効果的に防止できる。図３Ａを参照して、圃場１０への侵入を試みる動物１９は、先ず、挿通部１２に脚２０を挿通する。次に、図３Ｂを参照して、動物１９が動物接触部１３を持ち上げると、動物接触部１３と連結されている挿通部１２も、例えば動物１９の脚２０の付け根部分まで連鎖的に持ち上がる。このようにすることで、動物１９の一部、例えば前足の自由運動が制限される。また、動物１９は、動物接触部１３をそれ以上持ち上げることはできない。このことから、動物１９の圃場１０への侵入が防止される。
【００７０】  更に、図４Ａを参照して、動物接触部１３の左右方向端部の下端から連続する設置部１６を具備していることで、動物接触部１３を安定して設置箇所に設置することができる。
【００７１】  更に、図４Ｂを参照して、動物１９が動物接触部１３を持ち上げると、挿通部１２が回転することで傾斜配置され、挿通部１２の外側端部が接地面１７に接触する。よって、挿通部１２と接地面１７との間に形成される間隙が大きくならず、当該間隙から動物１９が圃場１０に侵入することを防止できる。
【００７２】  更に、図６Ｂを参照して、分割挿通部１２１が個別に動物接触部１３に対して回転可能に連結することで、個々の挿通部１２が任意の角度で回転でき、接地面１７と挿通部１２との間隙を小さくし、接地面１７の凹凸が大きくても、当該間隙から動物１９が侵入することを防止できる。
【００７３】  更に、図２を参照して、動物接触部１３が外側に向かって上方に傾斜していることで、動物侵入防止柵１１の断面形状が略三角形を呈するようになり、動物侵入防止柵１１の機械強度を向上できる。
【００７４】  更に、図７Ｂを参照して、動物接触部１３が上昇した際に、下垂部１８の外側先端側が下方に向かって回転することで、動物接触部１３と接地面１７との間隙を下垂部１８が塞ぎ、動物接触部１３および挿通部１２が持ち上げられた際でも、挿通部１２の下方の間隙を経由して動物１９が圃場１０に侵入することを防止できる。
【００７５】  以上、本発明の実施形態について説明したが、本発明は、これに限定されるものではなく、本発明の要旨を逸脱しない範囲で変更が可能である。また、前述した各形態は相互に組み合わせることが可能である。
【００７６】  例えば、図２を参照して、動物接触部１３および設置部１６を、金属板、合成樹脂板、板状木材等から構成することもできる。
【００７７】  また、図２に記載した動物侵入防止柵１１では、動物接触部１３の左右方向両端部に２つの案内部１４を配置したが、案内部１４の位置および個数は任意である。例えば、案内部１４の個数は、１でも良いし、３以上でも良い。更に、案内部１４の位置は、動物接触部１３の左右方向端部に配設されても良いし、動物接触部１３の左右方向中間でも良い。ここで、案内部１４の位置および個数にかかわらず、案内部１４は、少なくとも設置部１６および動物接触部１３を上下方向に案内する必要はある。
【符号の説明】
【００７８】１０    圃場
１１    動物侵入防止柵
１２    挿通部
１２１  分割挿通部
１３    動物接触部
１４    案内部
１５    開口
１６    設置部
１７    接地面
１８    下垂部
１９    動物
１９１  動物接触連結部
１９２  設置連結部
２０    脚
２１    回転支持部
２２    回転支持部
２３    錘部
【要約】
【課題】動物の侵入を防止する効果等が向上された動物侵入防止柵を提供する。
【解決手段】動物侵入防止柵１１は、動物１９の所定領域への侵入を防止するために設置される。動物侵入防止柵１１は、挿通部１２と、動物接触部１３と、案内部１４と、を具備する。挿通部１２は、動物１９の一部が挿通可能な開口１５を有する。動物接触部１３は、その下端側が挿通部１２に連結され、且つ、その一部が挿通部１２の上方側に配置される。案内部１４は、動物接触部１３を上下方向に沿って移動可能に案内する。
【選択図】図２【図１】
0006978655.tif 000002
【図２】
0006978655.tif 000003
【図３Ａ】
0006978655.tif 000004
【図３Ｂ】
0006978655.tif 000005
【図４Ａ】
0006978655.tif 000006
【図４Ｂ】
0006978655.tif 000007
【図５Ａ】
0006978655.tif 000008
【図５Ｂ】
0006978655.tif 000009
【図６Ａ】
0006978655.tif 000010
【図６Ｂ】
0006978655.tif 000011
【図７Ａ】
0006978655.tif 000012
【図７Ｂ】
0006978655.tif 000013
【図８Ａ】
0006978655.tif 000014
【図８Ｂ】
0006978655.tif 000015
【図９】
0006978655.tif 000016